(57)【特許請求の範囲】
【請求項１】
第一の画像データが画像表示手段に表示される場合に、前記第一の画像データが第一の記憶媒体に存在し、前記第一の画像データと同じ画像データである第二の画像データが第二の記憶媒体に存在するときは、前記第二の画像データが前記第二の記憶媒体に存在することを示す第一の情報と、前記第一の画像データとが前記画像表示手段に表示されるように制御する表示制御手段を有し、
前記第二の画像データが前記画像表示手段に表示される場合に、前記第一の画像データが前記第一の記憶媒体に存在し、前記第二の画像データが前記第二の記憶媒体に存在するときは、前記表示制御手段は、前記第一の画像データが前記第一の記憶媒体に存在することを示す第二の情報と、前記第二の画像データとが前記画像表示手段に表示されるように制御することを特徴とする画像処理装置。
【請求項２】
前記第一の情報は、前記第二の画像データが前記第二の記憶媒体に存在することを示すアイコンであり、
前記第二の情報は、前記第一の画像データが前記第一の記憶媒体に存在することを示すアイコンであることを特徴とする請求項１に記載の画像処理装置。
【請求項３】
前記第一の情報と、前記第一の画像データとが前記画像表示手段に表示される場合、前記表示制御手段はさらに、前記第一の画像データが前記第一の記憶媒体に主として記録されたものであることを示す情報が前記画像表示手段に表示されるように制御し、
前記第二の情報と、前記第二の画像データとが前記画像表示手段に表示される場合、前記表示制御手段はさらに、前記第二の画像データが前記第二の記憶媒体にバックアップとして記録されたものであることを示す情報が前記画像表示手段に表示されるように制御することを特徴とする請求項１または２に記載の画像処理装置。
【請求項４】
前記第一の情報は、前記第二の記憶媒体に存在する前記第二の画像データのサムネイル画像であり、
前記第二の情報は、前記第一の記憶媒体に存在する前記第一の画像データのサムネイル画像であることを特徴とする請求項１に記載の画像処理装置。
【請求項５】
前記第一の画像データが前記画像表示手段に表示される場合に、前記第一の画像データのファイル名と、前記第二の画像データのファイル名とが同じファイル名であると判定され、前記第一の記憶媒体及び前記第二の記憶媒体に同じ画像データが存在することを示す情報が、前記第一の画像データに関する第一の画像情報と、前記第二の画像データに関する第二の画像情報とに存在すると判定されたときは、前記第二の画像データが前記第二の記憶媒体に存在すると判定する第一の判定手段と、
前記第二の画像データが前記画像表示手段に表示される場合に、前記第一の画像データのファイル名と、前記第二の画像データのファイル名とが同じファイル名であると判定され、前記第一の記憶媒体及び前記第二の記憶媒体に同じ画像データが存在することを示す情報が、前記第一の画像情報と、前記第二の画像情報とに存在すると判定されたときは、前記第一の画像データが前記第一の記憶媒体に存在すると判定する第二の判定手段とをさらに有することを特徴とする請求項１から４のいずれか１項に記載の画像処理装置。
【請求項６】
第一の画像データが画像表示手段に表示される場合に、前記第一の画像データが第一の記憶媒体に存在し、前記第一の画像データと同じ画像データである第二の画像データが第二の記憶媒体に存在するときは、前記第二の画像データが前記第二の記憶媒体に存在することを示す第一の情報と、前記第一の画像データとが前記画像表示手段に表示されるように制御する第一の表示制御ステップと、
前記第二の画像データが前記画像表示手段に表示される場合に、前記第一の画像データが前記第一の記憶媒体に存在し、前記第二の画像データが前記第二の記憶媒体に存在するときは、前記第一の画像データが前記第一の記憶媒体に存在することを示す第二の情報と、前記第二の画像データとが前記画像表示手段に表示されるように制御する第二の表示制御ステップとを画像処理装置に実行させることを特徴とするコンピュータプログラム。
【請求項７】
前記第一の情報は、前記第二の画像データが前記第二の記憶媒体に存在することを示すアイコンであり、
前記第二の情報は、前記第一の画像データが前記第一の記憶媒体に存在することを示すアイコンであることを特徴とする請求項６に記載のコンピュータプログラム。
【請求項８】
前記第一の情報と、前記第一の画像データとが前記画像表示手段に表示される場合、前記第一の表示制御ステップはさらに、前記第一の画像データが前記第一の記憶媒体に主として記録されたものであることを示す情報が前記画像表示手段に表示されるように制御し、
前記第二の情報と、前記第二の画像データとが前記画像表示手段に表示される場合、前記第二の表示制御ステップはさらに、前記第二の画像データが前記第二の記憶媒体にバックアップとして記録されたものであることを示す情報が前記画像表示手段に表示されるように制御することを特徴とする請求項６または７に記載のコンピュータプログラム。
【請求項９】
前記第一の情報は、前記第二の記憶媒体に存在する前記第二の画像データのサムネイル画像であり、
前記第二の情報は、前記第一の記憶媒体に存在する前記第一の画像データのサムネイル画像であることを特徴とする請求項６に記載のコンピュータプログラム。
【請求項１０】
前記第一の画像データが前記画像表示手段に表示される場合に、前記第一の画像データのファイル名と、前記第二の画像データのファイル名とが同じファイル名であると判定され、前記第一の記憶媒体及び前記第二の記憶媒体に同じ画像データが存在することを示す情報が、前記第一の画像データに関する第一の画像情報と、前記第二の画像データに関する第二の画像情報とに存在すると判定されたときは、前記第二の画像データが前記第二の記憶媒体に存在すると判定する第一の判定ステップと、
前記第二の画像データが前記画像表示手段に表示される場合に、前記第一の画像データのファイル名と、前記第二の画像データのファイル名とが同じファイル名であると判定され、前記第一の記憶媒体及び前記第二の記憶媒体に同じ画像データが存在することを示す情報が、前記第一の画像情報と、前記第二の画像情報とに存在すると判定されたときは、前記第一の画像データが前記第一の記憶媒体に存在すると判定する第二の判定ステップとをさらに有することを特徴とする請求項６から９のいずれか１項に記載のコンピュータプログラム。
【発明の詳細な説明】
【技術分野】
【０００１】
本発明は、静止画像や動画像の画像データが画像表示手段に表示されるように制御する画像処理装置及びコンピュータプログラムに関する。
【背景技術】
【０００２】
従来、固体メモリ素子を有するメモリカード等を記憶媒体として、ＣＣＤ等の固体撮像素子で撮像した画像データを記録及び再生する画像処理装置は既に知られている。
【０００３】
この種の画像処理装置には複数の記憶媒体を備えたものもあり、より多くの画像データを記録することが可能である。また、複数の記憶媒体には、記憶媒体の破損等により画像データが消滅するのを防止するために、同じショットで撮影した画像データを記録することも可能である。
【特許文献１】特開平１−２５８５６９号公報
【発明の開示】
【発明が解決しようとする課題】
【０００４】
しかし、ある記憶媒体に記録された画像データを再生するときに、他の記憶媒体にも同じ画像データが存在するか否かを容易に認識することができないので、例えば画像データを消去するような場合に非常に不便であった。
【０００５】
本発明は前記のような点に鑑みてなされたものであり、同じ画像データが複数の記憶媒体に存在する場合に画像整理を行いやすくすることを目的とする。
【課題を解決するための手段】
【０００６】
本発明に係る画像処理装置は、第一の画像データが画像表示手段に表示される場合に、前記第一の画像データが第一の記憶媒体に存在し、前記第一の画像データと同じ画像データである第二の画像データが第二の記憶媒体に存在するときは、前記第二の画像データが前記第二の記憶媒体に存在することを示す第一の情報と、前記第一の画像データとが前記画像表示手段に表示されるように制御する表示制御手段を有し、前記第二の画像データが前記画像表示手段に表示される場合に、前記第一の画像データが前記第一の記憶媒体に存在し、前記第二の画像データが前記第二の記憶媒体に存在するときは、前記表示制御手段は、前記第一の画像データが前記第一の記憶媒体に存在することを示す第二の情報と、前記第二の画像データとが前記画像表示手段に表示されるように制御することを特徴とする。
また、本発明に係るコンピュータプログラムは、第一の画像データが画像表示手段に表示される場合に、前記第一の画像データが第一の記憶媒体に存在し、前記第一の画像データと同じ画像データである第二の画像データが第二の記憶媒体に存在するときは、前記第二の画像データが前記第二の記憶媒体に存在することを示す第一の情報と、前記第一の画像データとが前記画像表示手段に表示されるように制御する第一の表示制御ステップと、前記第二の画像データが前記画像表示手段に表示される場合に、前記第一の画像データが前記第一の記憶媒体に存在し、前記第二の画像データが前記第二の記憶媒体に存在するときは、前記第一の画像データが前記第一の記憶媒体に存在することを示す第二の情報と、前記第二の画像データとが前記画像表示手段に表示されるように制御する第二の表示制御ステップとを画像処理装置に実行させることを特徴とする。
【発明の効果】
【０００７】
本発明によれば、画像データが画像表示手段に表示される際に、その画像データと同じ画像データが複数の記憶媒体に存在するか否かをユーザに認識させることができ、画像整理を行いやすくすることができる。
【発明を実施するための最良の形態】
【０００８】
以下、添付図面を参照して、本発明の好適な実施形態について説明する。
（第１の実施形態）
図１は、本発明を適用した画像処理装置の全体構成例を示すブロック図である。同図において、１００は画像処理装置である。１２は撮像素子１４への露光量を制御するためのシャッター、１４は光学像を電気信号に変換する撮像素子である。レンズ３１０に入射した光線は、一眼レフ方式によって、絞り３１２、レンズマウント３０６、１０６、ミラー１３０、及びシャッター１２を介して導かれ、光学像として撮像素子１４上に結像する。
【０００９】
１６は、撮像素子１４のアナログ信号出力をディジタル信号に変換するＡ／Ｄ変換器である。１８は撮像素子１４、Ａ／Ｄ変換器１６、及びＤ／Ａ変換器２６にクロック信号や制御信号を供給するタイミング発生回路であり、メモリ制御回路２２及びシステム制御回路５０により制御される。
【００１０】
２０は画像処理回路であり、Ａ／Ｄ変換器１６からのデータ或いはメモリ制御回路２２からのデータに対して所定の画素補間処理や色変換処理を行う。また、画像処理回路２０においては、必要に応じて、撮像した画像データを用いて所定の演算処理を行い、得られた演算結果に基づいてシステム制御回路５０がシャッター制御手段４０、及び測距制御手段４２に対して制御を行う。この制御としては、ＴＴＬ（スルー・ザ・レンズ）方式のＡＦ（オートフォーカス）処理、ＡＥ（自動露出）処理、及びＥＦ（フラッシュ調光）処理がある。さらに、画像処理回路２０においては、撮像した画像データを用いて所定の演算処理を行い、得られた演算結果に基づいてＴＴＬ方式のＡＷＢ（オートホワイトバランス）処理も行っている。
【００１１】
なお、本実施形態においては、測距手段４２及び測光手段４６を専用に備える構成としたため、測距手段４２及び測光手段４６を用いてＡＦ（オートフォーカス）処理、ＡＥ（自動露出）処理、及びＥＦ（フラッシュ調光）処理の各処理を行い、前記画像処理回路２０を用いたＡＦ（オートフォーカス）処理、ＡＥ（自動露出）処理、及びＥＦ（フラッシュ調光）処理の各処理を行わない構成としても良い。或いは、測距手段４２及び測光手段４６を用いてＡＦ（オートフォーカス）処理、ＡＥ（自動露出）処理、及びＥＦ（フラッシュ調光）処理の各処理を行い、さらに、前記画像処理回路２０を用いたＡＦ（オートフォーカス）処理、ＡＥ（自動露出）処理、及びＥＦ（フラッシュ調光）処理の各処理を行う構成としても良い。
【００１２】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０及びメモリ制御回路２２を介して、或いはＡ／Ｄ変換器１６のデータが直接メモリ制御回路２２を介して、画像表示メモリ２４或いはメモリ３０に書き込まれる。
【００１３】
２４は画像表示メモリ、２６はＤ／Ａ変換器、２８はＴＦＴ・ＬＣＤ等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダ機能を実現することが可能である。また、画像表示部２８は、システム制御回路５０の指示により任意に表示をＯＮ／ＯＦＦすることが可能であり、表示をＯＦＦにした場合には画像処理装置１００の電力消費を大幅に低減することができる。画像表示部２８には、操作部７０の操作によって、記録画質モードや、ホワイトバランスモード等のメニューを表示したり、表示している画像の情報を表示したり、記録或いは再生可能な記憶媒体を表示したりする。
【００１４】
３０は撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。
【００１５】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００１６】
４０は測光手段４６からの測光情報に基づいて、絞り３１２を制御する絞り制御手段３４０と連携しながら、シャッター１２を制御するシャッター制御手段である。４２はＡＦ（オートフォーカス）処理を行うための測距手段であり、レンズ３１０に入射した光線を、一眼レフ方式によって、絞り３１２、レンズマウント３０６及び１０６、ミラー１３０そして不図示の測距用サブミラーを介して、測距手段４２に入射させることにより、光学像として結像された画像の合焦状態を測定することができる。
【００１７】
４６はＡＥ（自動露出）処理を行うための測光手段であり、レンズ３１０に入射した光線を、一眼レフ方式によって、絞り３１２、レンズマウント３０６及び１０６、ミラー１３０及び１３２そして不図示の測光用レンズを介して、測光手段４６に入射させることにより、光学像として結像された画像の露出状態を測定する。
【００１８】
なお、撮像素子１４によって撮像した画像データを画像処理回路２０によって演算した演算結果に基づき、システム制御回路５０がシャッター制御手段４０、絞り制御手段３４０、及び測距制御手段３４２に対して制御を行う、ビデオＴＴＬ方式を用いて露出制御及びＡＦ（オートフォーカス）制御をすることも可能である。
【００１９】
さらに、測距手段４２による測定結果と、撮像素子１４によって撮像した画像データを画像処理回路２０によって演算した演算結果とを共に用いてＡＦ（オートフォーカス）制御を行っても構わない。そして、測光手段４６による測定結果と、撮像素子１４によって撮像した画像データを画像処理回路２０によって演算した演算結果とを共に用いて露出制御を行っても構わない。
【００２０】
５０は画像処理装置１００全体を制御するシステム制御回路、５２はシステム制御回路５０の動作用の定数や、変数、プログラム等を記憶するメモリである。５４はシステム制御回路５０でのプログラムの実行に応じて、文字、画像等を用いて動作状態やメッセージ等を表示する液晶表示装置等の表示部であり、画像処理装置１００の操作部近辺の視認し易い位置に単数或いは複数個所設置され、例えばＬＣＤやＬＥＤ等の組み合わせにより構成されている。
【００２１】
また、表示部５４は、その一部の機能が光学ファインダ１０４内に設置されている。表示部５４の表示内容のうち、ＬＣＤ等に表示するものとしては、例えば、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、時計用電池残量表示、電池残量表示、エラー表示、複数桁の数字による情報表示、記憶媒体２００及び２１０の着脱状態表示、レンズユニット３００の着脱状態表示、通信Ｉ／Ｆ動作表示、日付・時刻表示、及び外部コンピュータとの接続状態を示す表示等がある。
【００２２】
また、表示部５４の表示内容のうち、光学ファインダ１０４内に表示するものとしては、例えば、合焦表示、撮影準備完了表示、手振れ警告表示、フラッシュ充電表示、フラッシュ充電完了表示、シャッタースピード表示、絞り値表示、露出補正表示、及び記憶媒体書き込み動作表示等がある。
【００２３】
さらに、表示部５４の表示内容のうち、ＬＥＤ等に表示するものとしては、例えば、合焦表示、撮影準備完了表示、手振れ警告表示、手振れ警告表示、フラッシュ充電表示、フラッシュ充電完了表示、記憶媒体書き込み動作表示、マクロ撮影設定通知表示、及び二次電池充電状態表示等がある。
【００２４】
そして、表示部５４の表示内容のうち、ランプ等に表示するものとしては、例えば、セルフタイマー通知ランプ等がある。このセルフタイマー通知ランプは、ＡＦ補助光と共用して用いても良い。
【００２５】
６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。以下、これらの操作手段の具体的な説明を行う。
【００２６】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、及びＥＦ（フラッシュ調光）処理等の動作開始を指示する。
【００２７】
６４はシャッタースイッチＳＷ２で、不図示のシャッターボタンの操作完了でＯＮとなり、撮像素子１２から読み出した信号をＡ／Ｄ変換器１６、及びメモリ制御回路２２を介してメモリ３０に画像データを書き込む露光処理、画像処理回路２０やメモリ制御回路２２での演算を用いた現像処理、並びにメモリ３０から画像データを読み出し、圧縮・伸長回路３２で圧縮を行い、記憶媒体２００或いは２１０に画像データを書き込む記録処理、という一連の処理の動作開始を指示する。
【００２８】
６６は再生スイッチで、撮影モード状態において、撮影した画像をメモリ３０、記憶媒体２００或いは２１０から読み出して画像表示部２８によって表示する再生動作の開始を指示する。
【００２９】
６８は単写／連写スイッチで、シャッタースイッチＳＷ２を押した場合に１駒の撮影を行って待機状態とする単写モードと、シャッタースイッチＳＷ２を押している間は連続して撮影を行い続ける連写モードとを設定するためのスイッチである。
【００３０】
７０は各種ボタンやタッチパネル等からなる操作部で、複数の記録媒体に同じ撮影画像を書き込むモードを設定する、特殊モードであるバックアップ設定時に、どの記憶媒体を主に使用し、どの記憶媒体にバックアップ画像を記録するかを設定する、記録用記憶媒体選択ボタンとバックアップ記憶媒体選択ボタン、メニューボタン、セットボタン、メニュー移動＋（プラス）ボタン、メニュー移動−（マイナス）ボタン、再生画像移動＋（プラス）ボタン、再生画像移動−（マイナス）ボタン等を備えている。
【００３１】
さらに、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチを備えている。
【００３２】
そのほかに、再生モードや、マルチ画面再生モード、ＰＣ接続モード等の各機能モードを設定することができる再生スイッチ、シャッタースイッチＳＷ１を押したならばオートフォーカス動作を開始し一旦合焦したならばその合焦状態を保ち続けるワンショットＡＦモードとシャッタースイッチＳＷ１を押している間は連続してオートフォーカス動作を続けるサーボＡＦモードとを設定することができるＡＦモード設定スイッチ等がある。
【００３３】
また、前記プラスボタン及びマイナスボタンの各機能は、回転ダイアルスイッチを備えることによって、より軽快に数値や機能を選択することが可能となる。
【００３４】
７１は特殊モードスイッチで、例えば、バックアップモードのような複数の記憶媒体に同じコマ画像を記録するモードをＯＮ／ＯＦＦするスイッチである。
【００３５】
７２は電源スイッチで、画像処理装置１００の電源オンや、電源オフの各モードを切り替え設定することができる。また、画像処理装置１００に接続されたレンズユニット３００、外部ストロボ、記憶媒体２００、２１０等の各種付属装置の電源オン、電源オフの設定も合わせて切り替え設定することができる。
【００３６】
８０は電源制御手段で、電池検出回路、ＤＣ−ＤＣコンバータ、及び通電するブロックを切り替えるスイッチ回路等により構成されており、電池の装着の有無や、電池の種類、電池残量の検出を行い、検出結果及びシステム制御回路５０の指示に基づいてＤＣ−ＤＣコンバータを制御し、必要な電圧を必要な期間、記憶媒体を含む各部へ供給する。
【００３７】
８２、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００３８】
９０及び９４はメモリカードやハードディスク等の記憶媒体とのインターフェース、９２及び９６はメモリカードやハードディスク等の記憶媒体と接続を行うコネクタ、９８はコネクタ９２及び或いは９６に記憶媒体２００或いは２１０が装着されているか否かを検知する記憶媒体着脱検知手段である。
【００３９】
なお、本実施形態では、記憶媒体を取り付けるインターフェース及びコネクタを２系統持つものとして説明している。勿論、記憶媒体を取り付けるインターフェース及びコネクタは、複数の系統数を備える構成としても構わない。また、異なる規格のインターフェース及びコネクタを組み合わせて備える構成としても構わない。インターフェース及びコネクタとしては、ＰＣＭＣＩＡカードやＣＦ（コンパクトフラッシュ（Ｒ））カード等の規格に準拠したものを用いて構成すればよい。
【００４０】
さらに、インターフェース９０及び９４、そしてコネクタ９２及び９６をＰＣＭＣＩＡカードやＣＦ（コンパクトフラッシュ（Ｒ））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことができる。
【００４１】
１０４は光学ファインダであり、レンズ３１０に入射した光線を、一眼レフ方式によって、絞り３１２、レンズマウント３０６、１０６、及びミラー１３０、１３２を介して導き、光学像として結像表示する。これにより、画像表示部２８による電子ファインダ機能を使用すること無しに、光学ファインダ１０４のみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、及び露出補正表示などが設置されている。
【００４２】
１２０は、レンズマウント１０６内において、画像処理装置１００をレンズユニット３００と接続するためのインターフェース、１２２は画像処理装置１００をレンズユニット３００と電気的に接続するコネクタ、１２４はレンズマウント１０６及び／或いはコネクタ１２２にレンズユニット３００が装着されているか否かを検知するレンズ着脱検知手段である。コネクタ１２２は、画像処理装置１００とレンズユニット３００との間で制御信号、状態信号、データ信号等を伝え合うと共に、各種電圧の電流を供給する機能も備えている。また、コネクタ１２２は電気通信のみならず、光通信や音声通信等を伝達する構成としても良い。
【００４３】
１３０、１３２はミラーで、レンズ３１０に入射した光線を、一眼レフ方式によって光学ファインダ１０４に導くことができる。なお、ミラー１３２は、クイックリターンミラーの構成としても、ハーフミラーの構成としても、どちらでも構わない。
【００４４】
２００はメモリカードやハードディスク等の記憶媒体である。記憶媒体２００は、半導体メモリや磁気ディスク等から構成される記録部２０２、画像処理装置１００とのインターフェース２０４、及び画像処理装置１００と接続を行うコネクタ２０６を備えている。
【００４５】
２１０はメモリカードやハードディスク等の記憶媒体である。記憶媒体２１０は、半導体メモリや磁気ディスク等から構成される記録部２１２、画像処理装置１００とのインターフェース２１４、及び画像処理装置１００と接続を行うコネクタ２１６を備えている。
【００４６】
３００は交換レンズタイプのレンズユニットである。３０６はレンズユニット３００を画像処理装置１００と機械的に結合するレンズマウントである。レンズマウント３０６内には、レンズユニット３００を画像処理装置１００と電気的に接続する各種機能が含まれている。
【００４７】
３１０は撮影レンズ、３１２は絞りである。３２０はレンズマウント３０６内において、レンズユニット３００を画像処理装置１００と接続するためのインターフェース、３２２はレンズユニット３００を画像処理装置１００と電気的に接続するコネクタである。コネクタ３２２は、画像処理装置１００とレンズユニット３００との間で制御信号、状態信号、データ信号等を伝え合うと共に、各種電圧の電流を供給される或いは供給する機能も備えている。また、コネクタ３２２は電気通信のみならず、光通信、音声通信等を伝達する構成としても良い。
【００４８】
３４０は測光手段４６からの測光情報に基づいて、シャッター１２を制御するシャッター制御手段４０と連携しながら、絞り３１２を制御する絞り制御手段である。３４２は撮影レンズ３１０のフォーカシングを制御する測距制御手段、３４４は撮影レンズ３１０のズーミングを制御するズーム制御手段である。
【００４９】
３５０はレンズユニット３００全体を制御するレンズシステム制御回路である。レンズシステム制御回路３５０は、動作用の定数、変数、プログラム等を記憶するメモリと、レンズユニット３００固有の番号等の識別情報、管理情報、開放絞り値や最小絞り値、焦点距離等の機能情報、及び現在や過去の各設定値などを保持する不揮発メモリの機能も備えている。
【００５０】
図２は、画像処理装置での処理動作を説明するためのフローチャートであり、画像表示部２８に表示する画像と同じ画像データが他の記憶媒体にも存在する場合、その画像を表示する際に、他の記憶媒体にも同じ画像データが存在することを表示するための処理である。
【００５１】
ステップ２０１で、再生スイッチ６６が押されると、予め設定していた記憶媒体内の画像ファイルを表示するルーチンに入る。
【００５２】
ステップ２０２で、予め設定された記憶媒体から画像ファイルのデータをインターフェース９０や９４を通して、メモリ３０に取得する。
【００５３】
ステップ２０３で、メモリ３０に取得した画像ファイル内のヘッダー等に書かれた画像情報を解析する。
【００５４】
ステップ２０４で、ヘッダー等に書かれた画像情報内に、撮影時に他の記憶媒体に同じ画像ファイルを書き込むバックアップモードで撮影された画像であるか否かを表わすタグ等が存在するかを判断する。バックアップモードで撮影された画像でなければ、ステップ２０８に進む。バックアップモードで撮影された画像であるならば、ステップ２０５に進む。
【００５５】
ステップ２０５では、他の記憶媒体の画像ファイルの画像情報を解析する。そして、ステップ２０６で、同じファイル名の画像ファイルであって、ヘッダー等に書かれた画像情報にバックアップモードで撮影されたことを表わすタグが存在するか否かを確認し、もし存在すれば、同じ画像ファイルが他の記憶媒体にも存在することになるので、ステップ２０７に進む。もし、存在しなければ、同じ画像ファイルは他の記憶媒体に存在しないことになるので、ステップ２０８に進む。
【００５６】
ステップ２０７では、他の記憶媒体に同じ画像データが存在することを示すバックアップ用のアイコンを画像表示メモリ２４上に設定し、画像表示部２８に表示するために用意する。
【００５７】
一方、ステップ２０８では、他の記憶媒体に同じ画像データは存在しないので、特にアイコンは用意しない。
【００５８】
ステップ２０９では、用意されたバックアップ用アイコンを画像表示部２８の座標（X1,Y1）に表示する。
【００５９】
ステップ２１０では、メモリ３０に取得した画像ファイルの画像を画像表示メモリ２４上に設定し、画像表示部２８の座標（X,Y）に表示する。
【００６０】
もし、バックアップモードで撮影され、他の記憶媒体にも同じ画像データが存在する場合には、図３に示すような表示が画像表示部２８に表示される。それに対して、他の記憶媒体に同じ画像データが存在しない場合には、図３の座標（X1,Y1）の○アイコンは表示されない。
【００６１】
なお、記憶媒体２００及び２１０は、ＰＣＭＣＩＡカードやコンパクトフラッシュ（Ｒ）等のメモリカード、ハードディスク等だけでなく、マイクロＤＡＴ、光磁気ディスク、ＣＤ−ＲやＣＤ−ＲＷ等の光ディスク、ＤＶＤ等の相変化型光ディスク等で構成されていてもよい。また、記憶媒体２００及び２１０は、メモリカードとハードディスク等が一体となった複合媒体であってもよい。さらに、その複合媒体から一部が着脱可能な構成としてもよい。
【００６２】
本実施形態の説明においては、記憶媒体２００及び２１０は画像処理装置１００と分離していて任意に接続可能なものとして説明したが、何れか或いは全ての記憶媒体が画像処理装置１００に固定したままとなっていても勿論問題無い。また、画像処理装置１００に記憶媒体２００或いは２１０が、複数の任意の個数接続可能な構成であっても構わない。そして、画像処理装置１００に記憶媒体２００及び２１０が装着する構成として説明したが、記憶媒体は複数の何れの組み合わせの構成であっても、勿論問題無い。
【００６３】
以上述べたようにして、１回の撮影内容を複数の記憶媒体に記録するような撮影を行う場合に、撮影者が、記憶媒体の画像データの再生を行い、撮影画像の確認を行う時に、画像の表示だけでなく、他の記憶媒体にも同じ画像データが存在することをアイコンを使用して表示することで、撮影後の画像整理を行いやすくすることができる。
【００６４】
（第２の実施形態）
前記第１の実施形態では、１回の撮影内容を複数の記憶媒体に記録するような撮影を行う場合に、撮影者が、記憶媒体の画像データの再生を行い、撮影画像の確認を行う時に、画像の表示だけでなく、他の記憶媒体にも同じ画像が存在することをアイコンを使用して表示する方法を説明したが、第２の実施形態では、他の記憶媒体に存在する画像ファイルのサムネイル画像を使用して表示するようにした例について説明する。
【００６５】
図４は、本実施形態の画像処理装置での処理動作を説明するためのフローチャートである。ステップ３０１で、再生スイッチ６６が押されると、予め設定していた記憶媒体内の画像ファイルを表示するルーチンに入る。
【００６６】
ステップ３０２で、予め設定された記憶媒体から画像ファイルのデータをインターフェース９０や９４を通して、メモリ３０に取得する。
【００６７】
ステップ３０３で、メモリ３０に取得した画像ファイル内のヘッダー等に書かれた画像情報を解析する。
【００６８】
ステップ３０４で、ヘッダー等に書かれた画像情報内に、撮影時に他の記憶媒体に同じ画像ファイルを書き込むバックアップモードで撮影された画像であるか否かを表わすタグ等が存在するかを判断する。バックアップモードで撮影された画像でなければ、ステップ３０８に進む。バックアップモードで撮影された画像であるならば、ステップ３０５に進む。
【００６９】
ステップ３０５では、他の記憶媒体の画像ファイルの画像情報を解析する。そして、ステップ３０６で、同じファイル名の画像ファイルであって、ヘッダー等に書かれた画像情報にバックアップモードで撮影されたことを表わすタグが存在するか否かを確認し、もし存在すれば、同じ画像ファイルが他の記憶媒体にも存在することになるので、ステップ３０７に進む。もし、存在しなければ、同じ画像ファイルは他の記憶媒体に存在しないことになるので、ステップ３０８に進む。
【００７０】
ステップ３０７では、同じ画像データが存在する他の記憶媒体から、その同じ画像データをメモリ３０に取得する。
【００７１】
一方、ステップ３０８では、他の記憶媒体に同じ画像データは存在しないので、特になにもしない。
【００７２】
ステップ３０９では、取得した他の記憶媒体の画像データのサムネイル画像を画像表示メモリ２４上に設定し、画像表示部２８の座標（X1,Y1）に表示する。
【００７３】
ステップ３１０では、メモリ３０に取得した画像ファイルの画像を画像表示メモリ２４上に設定し、画像表示部２８の座標（X,Y）に表示する。
【００７４】
もし、バックアップモードで撮影され、他の記憶媒体にも同じ画像データが存在する場合には、図５に示すような表示が画像表示部２８に表示される。それに対して、他の記憶媒体に同じ画像データが存在しない場合には、図５の座標（X1,Y1）のサムネイル画像は表示されない。
【００７５】
以上述べたようにして、１回の撮影内容を複数の記憶媒体に記録するような撮影を行う場合に、撮影者が、記憶媒体の画像データの再生を行い、撮影画像の確認を行う時に、画像の表示だけでなく、他の記憶媒体にも同じ画像が存在することをサムネイル画像を表示することで、画像消去等の画像整理を行う時に、間違えることなく画像内容を認識することができ、より利便性を向上させることができる。
【００７６】
（第３の実施形態）
前記第１、２の実施形態では、１回の撮影内容を複数の記憶媒体に記録するような撮影を行う場合に、撮影者が、記憶媒体の画像データの再生を行い、撮影画像の確認を行う時に、画像の表示だけでなく、他の記憶媒体にも同じ画像が存在することを、アイコンやサムネイル画像を使用して表示する方法を説明したが、第３の実施形態では、バックアップ撮影を設定する時に、どの記憶媒体を主に使用し、どの記憶媒体をバックアップ用（従）に使用するかを設定することができるようにし、主・従のどちらの画像であるかを表示するようにした例について説明する。
【００７７】
図６は、本実施形態の画像処理装置での処理動作を説明するためのフローチャートである。ステップ４０１で、再生スイッチ６６が押されると、予め設定していた記憶媒体内の画像ファイルを表示するルーチンに入る。
【００７８】
ステップ４０２で、予め設定された記憶媒体から画像ファイルのデータをインターフェース９０や９４を通して、メモリ３０に取得する。
【００７９】
ステップ４０３で、メモリ３０に取得した画像ファイル内のヘッダー等に書かれた画像情報を解析する。
【００８０】
ステップ４０４で、ヘッダー等に書かれた画像情報内に、撮影時に他の記憶媒体に同じ画像ファイルを書き込むバックアップモードで撮影された画像であるか否かを表わすタグ等が存在するかを判断する。バックアップモードで撮影された画像でなければ、ステップ４０８に進む。バックアップモードで撮影された画像であるならば、ステップ４０５に進む。
【００８１】
ステップ４０５では、他の記憶媒体の画像ファイルの画像情報を解析する。そして、ステップ４０６で、同じファイル名の画像ファイルであって、ヘッダー等に書かれた画像情報にバックアップモードで撮影されたことを表わすタグが存在するか否かを確認し、もし存在すれば、同じ画像ファイルが他の記憶媒体にも存在することになるので、ステップ４０７に進む。もし、存在しなければ、同じ画像ファイルは他の記憶媒体に存在しないことになるので、ステップ４０８に進む。
【００８２】
ステップ４０７では、他の記憶媒体に同じ画像データが存在することを示すバックアップ用のアイコンを画像表示メモリ２４上に設定し、画像表示部２８に表示するために用意する。
【００８３】
一方、ステップ４０８では、他の記憶媒体に同じ画像データは存在しないので、特にアイコンは用意しない。
【００８４】
ステップ４０９では、用意されたバックアップ用アイコンを画像表示部２８の座標（X1,Y1）に表示する。
【００８５】
ステップ４１０では、前記ステップ４０３での画像ファイルの画像情報の解析結果から、表示しようとしている画像ファイルが、主として記録されたものか、バックアップ用（従）として記録されたものかを判断する。バックアップ用（従）として記録されたものであれば、ステップ４１１に進み、主として記録されたものであれば、ステップ４１２に進む。
【００８６】
ステップ４１１では、バックアップ用（従）として記録されたものであることを示す従用のアイコンを画像表示メモリ２４上に設定し、画像表示部２８に表示するために用意する。それに対して、ステップ４１２では、主として記録されたのもであることを示す主用のアイコンを画像表示メモリ２４上に設定し、画像表示部２８に表示するために用意する。
【００８７】
ステップ４１３では、用意された主アイコン或いは従アイコンを画像表示部２８の座標（X２,Y２）に表示する。
【００８８】
ステップ４１４では、メモリ３０に取得した画像ファイルの画像を画像表示部２８の座標（X,Y）に表示する。
【００８９】
もし、バックアップモードで撮影され、他の記憶媒体にも同じ画像データが存在し、前記ステップ４０２で取得した画像ファイルが主として記録された画像であれば、図７（ａ）に示すような表示が画像表示部２８に表示される。それに対して、バックアップ用（従）として記録された画像であれば、図７（ｂ）に示すような表示が画像表示部２８に表示される。
【００９０】
以上述べたようにして、１回の撮影内容を複数の記憶媒体に記録するような撮影を行う場合に、どの記憶媒体を主に使用し、どの記憶媒体をバックアップ用（従）に使用するかを設定できるときには、撮影者が、記憶媒体の画像データの再生を行い、撮影画像の確認を行う時に、画像の表示だけでなく、他の記憶媒体にも同じ画像が存在することと、主従のどちらで記録されたものかをアイコンを使用して表示することで、より撮影後の画像整理を行いやすくすることができる。
【００９１】
なお、上述した図２、４、６のフローチャートに従ったプログラムを例えばメモリ５２に格納し動作することにより、上述の画像処理方法を実現させることが可能となる。
【００９２】
本発明は、上述した実施形態の装置に限定されず、複数の機器から構成されるシステムに適用しても、１つの機器から成る装置に適用してもよい。前述した実施形態の機能を実現するソフトウェアのプログラムコードを記憶した記憶媒体をシステム或いは装置に供給し、そのシステム或いは装置のコンピュータ（又はＣＰＵやＭＰＵ）が記憶媒体に格納されたプログラムコードを読み出し実行することによっても、完成されることは言うまでもない。
【００９３】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部又は全部を行い、その処理によって前述した実施形態の機能が実現される場合も含まれることは言うまでもない。
【００９４】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部又は全部を行い、その処理によって前述した実施形態の機能が実現される場合も含まれることは言うまでもない。
【図面の簡単な説明】
【００９５】
【図１】本発明を適用した画像処理装置の全体構成例を示すブロック図である。
【図２】第１の実施形態における画像処理装置での処理動作を説明するためのフローチャートである。
【図３】第１の実施形態における画像表示部の表示例を示す図である。
【図４】第２の実施形態における画像処理装置での処理動作を説明するためのフローチャートである。
【図５】第２の実施形態における画像表示部の表示例を示す図である。
【図６】第３の実施形態における画像処理装置での処理動作を説明するためのフローチャートである。
【図７】第３の実施形態における画像表示部の表示例を示す図である。
【符号の説明】
【００９６】
２０：画像処理回路
２２：メモリ制御回路
２４：画像表示メモリ
２８：画像表示部
３０：メモリ
５０：システム制御回路
９０：インターフェース
９２：コネクタ
９４：インターフェース
９６：コネクタ
９８：記憶媒体着脱検知手段
２００：記憶媒体
２０２：記録部
２０４：インターフェース
２０６：コネクタ
２１０：記憶媒体
２１２：記録部
２１４：インターフェース
２１６：コネクタ
【図１】
0004298536.tif 000002
【図２】
0004298536.tif 000003
【図３】
0004298536.tif 000004
【図４】
0004298536.tif 000005
【図５】
0004298536.tif 000006
【図６】
0004298536.tif 000007
【図７】
0004298536.tif 000008